(57)【特許請求の範囲】
【請求項１】
半割り状の一次製品をそれぞれ一次射出して成形した後、これら一次製品を互いに突合せ、該突合せ部に射出材を二次射出して中空状成形体を製造するための一方の金型と他方の金型とを備えて構成される金型であって、
前記一方の金型を、樹脂材を射出するための射出ノズルおよび該射出ノズルのノズル開閉をするためのバルブゲートピンを備えて構成するにあたり、
該バルブゲートピンは、射出するための先端を一方の金型から突出して備えることを特徴とする中空状成形体製造用の金型。
【請求項２】
請求項１において、一方の金型は固定型であり、他方の金型は可動型であることを特徴とする中空状成形体製造用の金型。
【発明の詳細な説明】
【技術分野】
【０００１】
本発明は、自動車ボディに取付けられるサイドウインカーやヘッドランプ、さらにはテールランプやサイドミラー等の中空状成形体製造用の金型の技術分野に属するものである。
【背景技術】
【０００２】
一般に、この種中空状成形体の例として、例えば車両の折曲方向がボディ側面からも視認できるよう設けられるランプとしてサイドウインカーがある。そしてこの様なサイドウインカーは、透光材からなるレンズ部と、電球が組み込まれるハウジングとをそれぞれ一次製品として型成形し、次いでこれら一次製品同志を突き合わせた状態で固定して形成することになるが、このようなものの製造方法として、例えばダイスライドインジェクション法が知られている。この方法は、例えば、可動型と固定型を対向配設した状態で各一次製品をそれぞれ型成形（一次成形）した後、可動型をスライド移動して両一次製品同志を突合せ、この突合せ面部に二次射出材を二次射出して製品を型成形（二次成形）するようにしている（例えば、特許文献１参照。）。
【０００３】
ところでこの場合、前記突き合された一次製品同志の突合わせ面部に確保される充填室（射出室）に射出材を二次射出して一体化することになるが、従来のものでは、射出ノズル先端から二次射出される射出材を充填室に案内するための案内路、つまりスプルーおよびランナーを型に形成し、該スプルーを経由して二次射出するように構成する必要がある。
【特許文献１】特公平２−３８３７７号公報
【発明の開示】
【発明が解決しようとする課題】
【０００４】
このように、射出材を二次射出して一次製品同志を一体化して中空状成形体の製造をすることになるが、前記従来のものでは、型側に形成されたスプルーに二次射出材が充填されたままスプルーランナーとなって中空状成形体から突出するものとなり、そのため、製品としては、このスプルーランナーを切り取る必要があるうえ、該切り取られたスプルーランナーは無駄部材となって廃棄され、場合によってはリサイクルされることになるが、何れにしろその分、樹脂材の歩留まりが悪くなってしまうという問題がある。
【０００５】
そこで例えば、特許文献１に示される如く、ランナーレス金型を用いて中空状成形体を成形するようにしてスプルーランナーレス化を達成すること等が提唱されるが、この様なスプルーランナーレス化をするためには、特殊な金型や射出ノズルが必要になってコスト高になるうえ、汎用性にかけるという問題があり、ここに本発明が解決せんとする課題がある。
【課題を解決するための手段】
【０００６】
本発明は、上記の如き実情に鑑みこれらの課題を解決することを目的として創作されたものであって、請求項１の発明は、半割り状の一次製品をそれぞれ一次射出して成形した後、これら一次製品を互いに突合せ、該突合せ部に射出材を二次射出して中空状成形体を製造するための一方の金型と他方の金型とを備えて構成される金型であって、前記一方の金型を、樹脂材を射出するための射出ノズルおよび該射出ノズルのノズル開閉をするためのバルブゲートピンを備えて構成するにあたり、該バルブゲートピンは、射出するための先端を一方の金型から突出して備えることを特徴とする中空状成形体製造用の金型である。
請求項２の発明は、請求項１において、一方の金型は固定型であり、他方の金型は可動型であることを特徴とする中空状成形体製造用の金型である。
【発明の効果】
【０００７】
そしてこのようにすることによって、一次製品に形成の貫通孔が、二次射出材を充填室に案内するスプルーとしての機能を果たすことになって、従来のように特殊な金型や射出ノズルを用いないでのスプルーランナーレス化が達成できることになる。
【発明を実施するための最良の形態】
【０００８】
次ぎに、本発明の実施の形態について、図面を用いて説明する。図面において、１は中空成形体の一例であるサイドウインカーであって、該サイドウインカー１は、レンズ部２と、電球３が組み込まれるハウジング４とで構成されるが、レンズ部２、ハウジング４は半割り製品である一次製品として固定型、可動型でそれぞれ一次射出して成形された後、可動型をスライド移動させてから両一次製品同士を突合せ、しかる後、後述するように該突合せ面部に形成される充填室Ｓに樹脂等の適宜の射出材５を二次射出して一体化される従来から知られたダイスライドインジェクション方式により製造されるものであるが、該従来から知られたダイスライドインジェクション方式を、本発明ではそのまま採用できるので、その詳細については省略する。
【０００９】
前記一次射出成形で形成されるレンズ部２は略椀形状になっており、その周縁部２ａが、ハウジング４の外周縁に形成される鍔状部４ａと突き合わせ接当するようになっている。そして本実施の形態では、レンズ部周縁部２ａのハウジング４側面とハウジング鍔状部４ａの外端面とを段差面とするスペースが、二次射出される樹脂材５の充填室Ｓとなっている。そして前記レンズ部周縁部２ａには、この充填室Ｓに連通する貫通孔２ｂが開設されている。この貫通孔２ｂは、例えば次ぎのようにして一次射出の工程で形成される。
【００１０】
前記貫通孔２ａの形成（開設）にはいくつかの手法が考えられるが、まず第一の実施の形態として、二次射出をするための射出ノズル６に設けられるバルブゲートピン７を利用する手法である。つまりこのものは、図２（Ａ）に示すように、一次射出によるレンズ部２の型成形の段階で、二次射出用の射出ノズル６の先端部を一方の金型（固定金型）８に組み込んだ状態にし、その場合に、該射出ノズル６のノズル開閉をするバルブケートピン７をノズル先端から突出させて他方の金型（移動金型）９に突き当てておき、この状態で一次射出をして（該一次射出は、上記二次射出用の射出ノズル６とは異なる図示しない一次射出用の射出ノズルを用いて行う）レンズ部２を形成する。因みに、この一次射出の過程でハウジング４も図示しない金型により同時成形される。次いで、該成形されたレンズ部２とハウジング４とを互いに突き合わせた状態で二次射出をすることになるが、それには、図３（Ａ）に示すように、前記突出していたバルブゲートピン７を没入させて二次射出用の射出ノズル６を開状態にし、この開状態で二次射出材５の射出をし、そして該射出後、図３（Ｂ）に示すように、バルブゲートピン７を、先端が前記貫通孔２ｂの孔長範囲Ｘに位置するよう突出せしめ、この状態で二次射出材５を硬化（キュア）せしめることになる。
因みに、貫通孔２ｂを形成するに際し、バルブゲートピン７を他方の金型９に突き当てるのではなく、図２（Ｂ）に示したように、他方の金型９に形成したガイド孔９ａに嵌入するようにしても形成することができる。
【００１１】
このように、本発明が実施された第一の実施の形態においては、二次射出をしてレンズ部２とハウジング４とを一体化してサイドウインカー１を成形するに際し、一次射出をする際にレンズ部２に形成した貫通孔２ｂが、二次射出をする際の射出剤５を案内して流す、つまりガイドするスプルー（湯道）としての機能を果たすことになり、この結果、従来のようにスプルーランナレス化をするため、特殊な金型等を用いたりする必要がない。しかもこの貫通孔２ｂの形成は、二次射出するための射出ノズル６を開閉するためのバルブゲートピン７を用いて行う構成としたため、該バルブゲートピン７を、ノズルを通常に閉鎖するよりは長く突出する構成にする、つまりバルブゲートピン７の移動ストロークを長くするだけでよいことになって、殊更構造が複雑になることもない。
そしてこのものにおいては、レンズ部２側を固定側とし、ハウジング４を可動側にすることが、二次射出用の射出ノズル６を移動させる必要がないことから好適である。
【００１２】
一方、本発明は、図４に示す第二の実施の形態のようにしても実施することができる。つまりこのものは、レンズ部２を一次射出する場合、二次射出用の射出ノズル６がセットされる側とは反対側の金型９側に貫通孔２ｂ形成用のコアピン１０を設けておき、該コアピン１０によって形成された貫通孔２ｂをスプルーとして二次射出材５を射出するもので、このようにしても実施することができる。この場合に、図４に示すように、二次射出用射出ノズル６のバルブゲートピン７に前記コアピン１０の先端を突き当てるようにしておくことができ、この様にすることで、前述した第一の実施の形態のものと同様、予めセットされた射出ノズル６を、バルブゲートピン７を没入させて開状態にして二次射出ができ、成形の迅速化が果たせることになる。
【００１３】
尚、本発明は、前記実施の形態に限定されるものでなく、貫通孔を開設する側としては、図５に示す第三の実施の形態のようにハウジング４側にしてもよく、このように貫通孔４ｂをハウジング４側に形成した場合には、製品として車輌に取り付けたとき、貫通孔４ａが隠れて外からは見えないものとなって外観性に優れ、都合が良い。そしてこのものは、二次射出ノズルの先端の突き当たる面がフラット状になっているため、前記実施の形態の傾斜面に突き当たる場合のように二次射出後にバルブゲートピンを貫通孔の孔部に位置させたキュア状態において、バルブゲートピンの先端面とハウジング面とが平行状態になって違和感のないものにでき都合が良い。
【００１４】
このようなフラット面に突き当たる構成をレンズ部側において実施しようとする場合には、図６（Ａ）、（Ｂ）に示す第四、第五の実施の形態のようにすることで実施できる。つまりこれらのものは、レンズ部２の周縁部２ａをフラット状にし、ここに貫通孔２ａを穿設してフラットなゲートを形成したものであるが、特に図６（Ｂ）のものは、ゲート部をさらに底面フラットな凹溝２ｃとし、ここに貫通孔２Ｂを形成したもので、このようにすることによって、二次射出するときにおいて、二次射出材５がレンズ部２の表面に流れ込むことを防止できることになる。
【００１５】
またさらに、図７に示す各実施の形態のものは、充填室Ｓを外部に露出しないように設定したもので、この場合においても貫通孔２ｂ、４ｂをレンズ部２側、ハウジング４側に形成したものにできる。そしてこれらのものでは、充填室Ｓが内部に隠れた状態になって露出しないため、レンズ部２とハウジング４との突き合わせだけのものとなって、外観性が向上する。
【図面の簡単な説明】
【００１６】
【図１】（Ａ）はサイドウインカーの側面断面図、（Ｂ）は要部拡大断面図である。
【図２】（Ａ）、（Ｂ）はそれぞれレンズ部を一次射出するときの型状態を示す要部拡大図である。
【図３】（Ａ）は二次射出する状態を示す要部拡大図、（Ｂ）は二次射出した後の状態を示す要部拡大図である。
【図４】第二の実施の形態を示すレンズ部を一次射出したときの状態を示す要部拡大図である。
【図５】第三の実施の形態を示すハウジングを一次射出する状態を示す要部拡大図である。
【図６】（Ａ）、（Ｂ）は第四、第五の実施の形態を示す際動因がーの要部拡大図である。
【図７】（Ａ）〜（Ｃ）は、さらに第七〜第九の実施の形態を示すサイドウインカーの要部拡大図である。
【符号の説明】
【００１７】
１    サイドウインカー
２    レンズ部
２ｂ  貫通孔
４    ハウジング
４ｂ  貫通孔
５    二次射出材
６    二次射出ノズル
７    バルブゲートピン
８    一方の金型
９    他方の金型
【図１】
0004559402.tif 000002
【図２】
0004559402.tif 000003
【図３】
0004559402.tif 000004
【図４】
0004559402.tif 000005
【図５】
0004559402.tif 000006
【図６】
0004559402.tif 000007
【図７】
0004559402.tif 000008